(57)【特許請求の範囲】
【請求項１】
粉粒体の供給、混合又は撹拌機等の機体の端板又は底板に排出口を開設し、該排出口の両外側に対向案内溝を形成し、該両溝の溝底間の間隔が、排出筒の一端に設けた溝挿入フランジの挿入幅より大で、溝入口間の間隔が該挿入幅より小であり、一方の上記案内溝とこれに挿入される上記フランジとの対接面を溝底に向って溝幅が狭くなるように傾斜するテーパ面となし、他方の上記案内溝の溝幅をこれに挿入される上記フランジの厚さより大となし、他方の案内溝の外面に排出筒の中程に設けた突出板を上記端板又は底板に向って締付ける締付具を設けてなる粉粒体排出シュート。
【請求項２】
締付具が他方の案内溝の外面に突設した軸受板に枢支したボルトにナットを螺合し、上記突出板に設けた切欠部にボルトを挿入し、該突出板を上記ナットで締付け又は弛め、かつボルトを枢支軸を中心に回動して上記突出板から分離可能である請求項１記載の粉粒体排出シュート。
【発明の詳細な説明】
【０００１】
【発明の属する技術分野】
本発明は、粉粒体の供給機等のような供給を目的とする装置や、混合機・撹拌機等所定の目的のあとに容器から粉粒体を排出させる装置の排出口に取り付けられる排出シュートに関するものである。
【０００２】
【従来の技術】
従来の排出シュートはボルト（少なくとも２本以上）で容器の排出口に固定されている。
【０００３】
【発明が解決しようとする課題】
従来の排出シュートはボルトで容器の排出口に固定されているが、サニタリー性が要求される場合には、洗浄のために頻繁に着脱の必要があり、その着脱の容易性とともにシール性も要求される。
本発明は、容易な着脱とともに高いシール性を提供することを目的とする。
【０００４】
【課題を解決するための手段】
上記の目的を達成するため本発明は
粉粒体の供給、混合又は撹拌機等の機体の端板又は底板に排出口を開設し、該排出口の両外側に対向案内溝を形成し、該両溝の溝底間の間隔が、排出筒の一端に設けた溝挿入フランジの挿入幅より大で、溝入口間の間隔が該挿入幅より小であり、一方の上記案内溝とこれに挿入される上記フランジとの対接面を溝底に向って溝幅が狭くなるように傾斜するテーパ面となし、他方の上記案内溝の溝幅をこれに挿入される上記フランジの厚さより大となし、他方の案内溝の外面に排出筒の中程に設けた突出板を上記端板又は底板に向って締付ける締付具を設けてなる粉粒体排出シュート
締付具が他方の案内溝の外面に突設した軸受板に枢支したボルトにナットを螺合し、上記突出板に設けた切欠部にボルトを挿入し、該突出板を上記ナットで締付け又は弛め、かつボルトを枢支軸を中心に回動して上記突出板から分離可能である上記第１発明記載の粉粒体排出シュート
によって構成され、排出筒（シュート）の上記フランジと機体側の案内溝に挿入された排出筒の一端フランジをテーパにしてそのテーパ部が互いに接触するようにするとともに、締付具１個で機体に固定できるようにしたものである。
【０００５】
【発明の実施の形態】
底板２上に外側円筒１５を設け、その内部に内側円筒１６を同心円に設け、内外側円筒１５、１６間には粉粒体円環状通路１７が形成され、内側円筒１６の下端と底板２の上面との間に粉粒体排出間隙ｔ’を設け、該間隙ｔ’から上記円環状通路１７内に上記内側円筒１６内の粉粒体が安息角を形成して排出される。
【０００６】
底板２の中心には底板２の下面を支持する機函１８の内部に設けた原動機の直立出力軸の上端を底板２上に突出し、該上端には底板２の上面に沿って４方に平板によるスポーク１９を設け、スポーク１９の外端は外側円筒１５の内周に沿う回転輪２６に接続し、該回転輪２６に等間隔に底板２の中央部に向う小スクレーパーを設け、該スクレーパーによって環状通路１７内の粉粒体を該通路１７に開口した排出口３に移送し、該出口３から排出筒５（シュート）を経て機外に粉粒体を定量供給するようになっている。
【０００７】
上記機体１の排出口３の両外側には図１に示すように底板２の下面に対向案内溝４、４’を平行に形成する。該溝４、４’の溝底４”、４”間の間隔Ｗは、該溝４、４’に挿入案内される排出筒５の一端に設けた溝挿入用フランジ６、６’の挿入幅ｗより大で溝入口間の間隔ｗ’より小さい。
【０００８】
又一方の上記案内溝４と該溝４に挿入される上記フランジ６との対接面７、７’を一方の溝底４”に向って上向に（溝幅ｔが小さくなるように）傾斜するテーパ面となし、他方の上記案内溝４’の溝幅ｔをこれに挿入される上記フランジ６’の厚さより大とするものである。
【０００９】
さらに他方の案内溝４’の外面（図では下面）に排出筒５の中程に設けた突出板８を他方の案内溝４’に向って（底板２に向って）締付ける締付具９を設ける。この締付具９は他方の案内溝４’の外面（図では下面）に突出した軸受板１０、１０間に枢支軸１２（水平ピン）によってボルト１１のボス部を枢支し、枢支軸１２を中心にしてボルト１１を回動することができる。該ボルト１１には蝶ナット又は環を設けたナット１３を螺合し、上記突出板８の先端に形成したＵ字形切欠部１４間にボルト１１を挿入し、上記ナット１３を回動することによって突出板８を該ナット１３の正回転によって上記案内溝４’に向って（底板２に向って）締付け、逆回転によって弛めて上記ボルト１１をＵ字形切欠部１４の外側に回動分離することができる。
【００１０】
ところで図２に示すように独立した排出筒５の一端（図では上端）に設けた両方（左右）のフランジ６、６’を左右の案内溝４、４’内に挿入した後、排出筒５を一方（左方）に寄せると対接面７、７’が接触した状態で一方（左方）のフランジ６は溝４側の対接面７に沿って上昇し、該フランジ６の上面は底板２の下面に密着する。その状態において他方（右方）のフランジ６’の上面も底板２の下面に接するが、その接触状態は支持されていない。
【００１１】
そこで締付具９を垂直方向に回動させるとボルト１１が上記突出板８の上記Ｕ字形切欠部１４に進入し、その状態で上記ナット１３を正回転させ該ナット１３によって突出板８の下面を上方に向って締付けることができ、その締付けによって右方のフランジ６’を底板２の下面に圧着（密着）支持するばかりでなく、排出筒５の一端の前後のフランジ６ａ、６ｂ（図７(イ) 図、図８(イ) 図）及び排出筒５の上端面５’（図９(イ) 図）を左右のフランジ６、６’と共に底板２の下面に密着又は圧着させることができる。
【００１２】
又上記ナット１３の逆回転によって締付けを弛緩させ、その状態でボルト１１を枢支軸１２を中心として外側に回動させてＵ字形切欠部１４から外し、排出筒５を手前に摺動させてフランジ６、６’を両案内溝４、４’から外し、排出筒５を底板２から分離することができる。
【００１３】
排出筒５は図１、図２、図３に示すように正方形筒、図４、図５、図６、図７(ロ) 図に示すように異形台形筒、図８に示すように上端が長方形、下端が円形の筒、図９に示すように傾斜円形筒とすることができる。
【００１４】
尚図中６”で示すものは排出筒５（排出シュート）の下端フランジ、２０は内側円筒１６の中程外周に設けたドーナツ形閉鎖板で外側円筒１５の上面を閉鎖するものである。２１は閉鎖状態ロック装置、図４中２２は上記閉鎖板２０に設けた腕、２３は外側円筒１５の外側面に設けた支持腕、２４は上記腕２２の先端と支持腕２３との軸支ピンであり、上記閉鎖板２０は一体の内側円筒１６と共に該軸支ピン２４を中心にシリンダー２５によって昇降回動し、内側円筒１６及び閉鎖板２０を外側円筒１５から上方に回動させることができる。
【００１５】
【発明の効果】
本発明は上述のように構成したので粉粒体を取扱う機体の排出口に排出筒（排出シュート）を締付具によって簡便迅速に取外して附着粉粒体の洗浄が容易であるばかりでなく、機体の排出口と排出筒（排出シュート）との高いシール性を提供し得る効果がある。
【図面の簡単な説明】
【図１】本発明の粉粒体排出シュートを示す正面図である。
【図２】排出口と排出筒との分離状態の正面図である。
【図３】排出口と排出筒との結合状態の縦断正面図である。
【図４】図１の右側面図で排出筒に異形台形筒を用いた図である。
【図５】図４の縦断面図である。
【図６】図４の一部で排出筒の分離状態の拡大側面図である。
【図７】  (イ) 図は排出筒の一端フランジの平面図である。
(ロ) 図は排出筒の側面図である。
(ハ) 図は他端フランジの底面図である。
【図８】  (イ) 図は排出筒の一端フランジの平面図である。
(ロ) 図は排出筒の側面図である。
(ハ) 図は他端フランジの底面図である。
【図９】  (イ) 図は排出筒の一端面及び一端フランジの平面図である。
(ロ) 図は排出筒の側面図である。
(ハ) 図は他端フランジの底面図である。
【符号の説明】
１      機体
２      端板又は底板
３      排出口
４、４’  対向案内溝
４”    溝底
Ｗ、ｗ’  間隔
５      排出筒
６、６’  溝挿入フランジ
ｗ      挿入幅
７、７’  対接面
ｔ      溝幅
８      突出板
９      締付具
１０      軸受板
１１      ボルト
１２      枢支軸
１３      ナット
１４      切欠部
【図１】
0004156723.tif 000002
【図２】
0004156723.tif 000003
【図３】
0004156723.tif 000004
【図４】
0004156723.tif 000005
【図５】
0004156723.tif 000006
【図６】
0004156723.tif 000007
【図７】
0004156723.tif 000008
【図８】
0004156723.tif 000009
【図９】
0004156723.tif 000010